(57)【要約】ベース部（２）および、該ベース部（２）に取り付けるシェービングヘッド（３）を有するシェービング装置（１）において、シェービングヘッド（３）は、ベース部（２）に対し、すなわち、カッティング歯列（３９、４０、４１、４２）の長手方向と平行に延びる回動軸（４３）の周りに回動可能に装着され、回動軸（４３）は、カッティング歯列（３９、４０、４１、４２）に対し、ベース部（２）の方に向かってベース部（２）に対する深さ方向（５６）にオフセット配置し、深さ方向（５６）とは逆方向でベース部（２）から離れる方向に、かつシェービングヘッド（３）の静止位置の方に向かってシェービングヘッド（３）にばね負荷するばね（４８）を設ける。
2007518441.tif 000002
【特許請求の範囲】
【請求項１】
上端部および下端部をもち、片手で保持されるためのベース部と、ベース部のその上端部の領域に装着され、ショートヘアカッティング装置およびロングヘアカッティング装置を有するシェービングヘッドとを有し、ロングヘアカッティング装置は、シェービングヘッドの第１サイド方向に前記ショートヘアカッティング装置に隣接して配設され、ショートヘアカッティング装置は、互いに協働するショートヘアカッティング部分を有し、ロングヘアカッティング装置は、列の長手方向に互いに隣接して位置する２列のカッティング歯を有する歯付きカッティング装置によって形成され、シェービングヘッドはベース部に対し、すなわち、前記列の長手方向と平行に延びる回動軸の周りに回動可能に装着され、前記回動軸は、ショートヘアカッティング部分とカッティング歯列に対しベース部に向かってシェービングヘッドの深さ方向にオフセット配置され、前記シェービングヘッドに、本質的にその深さ方向とは反対で前記ベース部から離れる方向であって、かつ前記シェービングヘッドの静止位置の方に向かって、ばね負荷を与えるばね手段を設けることを特徴とするシェービング装置。
【請求項２】
前記ベース部が、その下端部および上端部の間で延びる長手方向軸線を有し、前記シェービングヘッドは深さ方向と平行に延びる深さ軸線を有し、そして、前記ベース部の長手方向軸線と前記シェービングヘッドの深さ軸線が互いに対し傾斜角をなし、前記傾斜角が１８０°よりも小さい請求項１に記載のシェービング装置。
【請求項３】
前記傾斜角が、１２０°から１４０°の間の範囲にあって、好ましくは約１３０°である請求項２に記載のシェービング装置。
【請求項４】
前記回動軸は、前記深さ軸線に対し第１サイド方向にオフセット配置される請求項１に記載のシェービング装置。
【請求項５】
前記シェービング装置に、第２歯付きカッティング装置をさらに設け、前記ショートヘアカッティング装置は、２つの歯付きカッティング装置の間に配設される請求項１に記載のシェービング装置。
【請求項６】
前記ばね手段は、複数巻回された中間部と、２本の脚部とを有し、前記中間部が前記回動軸と同心となるように配設されたワイヤスプリングを有する請求項１に記載のシェービング装置。
【発明の詳細な説明】
【技術分野】
【０００１】
本発明は、上端部および下端部をもち、片手で保持されるためのベース部と、ベース部のその上端部の領域に装着され、ショートヘアカッティング装置およびロングヘアカッティング装置を有するシェービングヘッドとを有し、ロングヘアカッティング装置は、シェービングヘッドの第１サイド方向に前記ショートヘアカッティング装置に隣接して配設され、ショートヘアカッティング装置は、互いに協働するショートヘアカッティング部分を有し、ロングヘアカッティング装置は、列の長手方向に互いに隣接して位置する２列のカッティング歯を有する歯付きカッティング装置によって形成され、シェービングヘッドはベース部に対し、すなわち、前記列の長手方向と平行に延びる回動軸の周りに回動可能に装着されるシェービング装置に関するものである。
【背景技術】
【０００２】
上述したタイプのシェービング装置は、米国特許第４９２２６０８号公報から知られている。この既知のシェービング装置では、シェービングヘッドがベース部に対して回動できるところの回動軸は、ショートヘアカッティング装置およびロングヘアカッティング装置の間に、すなわち、シェービングヘッドの深さ方向にベース部から離れて面する側に位置する。この既知のシェービング装置では、この回動軸の配置の結果として、シェービングヘッドの自由端の領域で、すなわち、ベース部から離れて面するシェービングヘッドの領域で、シェービングヘッドを回動可能に装着するための手段が提供されなければならず、これは、既知のシェービング装置では以下の点で達成される。つまり、シェービング装置またはシェービングヘッドの横方向の構成要素は、ショートヘアカッティング装置および横方向に隣接した歯付きカッティング装置のレベルよりも上方に延在する。これは、シェービングヘッドによってできる限り妨害されないようなシェービング動作やシェービング時の心地よい感触を得る点では好ましくない。
【０００３】
この既知のシェービング装置では、シェービングヘッドの回動軸周りの回動は、ショートヘアカッティング装置および歯付きカッティング装置上におけるシェービング装置の動作時の皮膚によって生じる摩擦力によってのみなもたれされる。これによって、この既知のシェービング装置の場合、シェービングヘッドの回動は比較的ゆっくりと生じるかもしれず、場合によっては、短すぎるストロークで生じるかもしれず、そのとき、ショートヘアカッティング装置と歯付きカッティング装置の両方が、動作中、可能な限り良好なカッティング結果を提供するとは限らない。
【発明の開示】
【発明が解決しようとする課題】
【０００４】
本発明の目的は、上述した問題点を解消し、改良型のシェービング装置を提供することにある。
【課題を解決するための手段】
【０００５】
上述した目的を達成するため、本発明に従うシェービング装置では、本発明に従う特徴が設けられ、その結果、本発明に従うシェービング装置には、以下の方法で特徴づけることができる。すなわち、
上端部および下端部をもち、片手で保持されるためのベース部と、ベース部のその上端部の領域に装着され、ショートヘアカッティング装置およびロングヘアカッティング装置を有するシェービングヘッドとを有し、ロングヘアカッティング装置は、シェービングヘッドの第１サイド方向に前記ショートヘアカッティング装置に隣接して配設され、ショートヘアカッティング装置は、互いに協働するショートヘアカッティング部分を有し、ロングヘアカッティング装置は、列の長手方向に互いに隣接して位置する２列のカッティング歯を有する歯付きカッティング装置によって形成され、シェービングヘッドはベース部に対し、すなわち、前記列の長手方向と平行に延びる回動軸の周りに回動可能に装着され、前記回動軸は、ショートヘアカッティング部分とカッティング歯列に対しベース部に向かってシェービングヘッドの深さ方向にオフセット配置され、前記シェービングヘッドに、本質的にその深さ方向とは反対で前記ベース部から離れる方向であって、かつ前記シェービングヘッドの静止位置の方に向かって、ばね負荷を与えるばね手段を設けることを特徴とするシェービング装置。
【０００６】
本発明に従う特徴を具えることによって、設計上単純でかつ省スペース化の方法により、シェービングヘッドの回動可能な装着に関し、シェービングヘッドの自由端の領域に、いずれの回動軸装着手段も必要がなく、むしろ、シェービングヘッドの回動可能な装着のための手段は、シェービングヘッドの自由端に対しベース部の方に向かってオフセット配置され、その結果、シェービングヘッドの回動可能な装着のための手段は、実際にいかなる付加的なスペースも占有しない。さらに、回動軸の独創的な配置によって、剃られるべき皮膚によって、ショートヘアカッティング装置および歯付きカッティング装置に作用する摩擦力は、シェービングヘッドに作用する比較的高いトルクが生じる結果となり、シェービングヘッドの確実かつ迅速な回動が確保されることが、この状況で達成される。さらに、本発明に従う解決策において、確実な適用または皮膚と接触させるべきであるカッティング要素の場所での保持は、ばね手段によって確保されるという利点がある。
【発明を実施するための最良の形態】
【０００７】
本発明によるシェービング装置では、ベース部の長手方向軸線およびシェービングヘッドの深さ軸線は、互いに平行に延在させることができる。換言すれば、長手方向軸線および深さ軸線は、互いに対し１８０°の角度をなすことができる。しかしながら、前記ベース部が、その下端部および上端部の間で延びる長手方向軸線を有し、前記シェービングヘッドは深さ方向と平行に延びる深さ軸線を有し、そして、前記ベース部の長手方向軸線と前記シェービングヘッドの深さ軸線が互いに対し傾斜角をなし、前記傾斜角が１８０°よりも小さいという請求項２に記載の特徴が、本発明によるシェービング装置に付加的に設けられるならば、非常に有利であることが判明した。このようなシェービング装置は、快適なハンドリングに関し有利である。さらに、このようなシェービング装置は、可能な限り良好かつ同時に生じる剃られるべき皮膚の領域と、ショートヘアカッティング装置および歯付きカッティング装置の相互作用に関し、有利である。
【０００８】
前のパラグラフにおいて言及したような本発明によるシェービング装置では、前記傾斜角が、１２０°から１４０°の間の範囲にあって、好ましくは約１３０°であるという請求項３に記載の特徴を付加的に具えると、特に有利であることが判明した。そのようなデザインは、特に快適なハンドリング、および特に効率的なシェービングに関して有利であることが判明した。
【０００９】
本発明によるシェービング装置では、回動軸は、ほぼシェービングヘッドの深さ軸線の領域に配置することができる。しかしながら、回動軸を深さ軸線に対して第１サイド方向にオフセット配置すれば、特に有利であることが判明した。その結果、カッティング装置に作用する摩擦力に関連するレバーアームは、長さをできるだけ長い状態で達成され、これは、ベース部に対するシェービングヘッドの、できるだけ確実かつ迅速な回動に関し、有利である。
【００１０】
既知のリーフスプリング、スパイラルスプリングまたはトーションスプリングを、ばね手段として使うことができる。しかしながら、前記ばね手段は、複数巻回された中間部と、２本の脚部とを有し、前記中間部が前記回動軸と同心となるように配設されたワイヤスプリングを有するという請求項６に記載の特徴を、本発明に従うシェービング装置に付加的に具えると、特に有利であることが判明した。そのような解決案は、特に単純な構造設計によって、また、ばね手段が装着される簡便性によって区別される。
【００１１】
本発明の上述の特徴およびさらなる特徴は、以下で述べる実施形態の実施例から明らかになり、また、実施形態のこれらの実施例を参照して説明する。
【００１２】
本発明は、さらに、図面に示される実施形態の実施例を参照して説明するが、本発明は、これらに制限されるわけではない。
【実施例１】
【００１３】
図１は、シェービング装置１である。シェービング装置１は、図１に部分的にのみ示されているベース部２と、シェービングヘッド３を有する。ベース部２は、片手で保持することができる。ベース部２は、上端部２Eと、図１では見ることができない下端部を有する。上端部２Eに隣接して、ベース部２は、図１には示されていないベース部の残部と比較してネック状にデザインされる。これは、ベース部２の、上端部２Eに隣接する部分が、図１には見ることができないベース部２の残部と比較して細いことを意味する。
【００１４】
シェービングヘッド３は、ベース部２の上端部２Eの領域でベース部２に取り付けられる。シェービングヘッド３は、シェービングヘッドハウジング４を有し、このシェービングヘッドは、本質的にはフレームの形式でデザインされ、この場合、第１長手方向壁５および第２長手方向壁６、そしてまた、２つの長手方向壁５および６を互いに連結する２つの横断壁７を有する。図１では、１つの横断壁７のみを見ることができる。ショートヘアカッティング装置８と、矢印９によって示されているシェービングヘッド３の第１サイド方向にショートヘアカッティング装置８に隣接して配設されたロングヘアカッティング装置は、シェービングヘッドハウジング４内に収容され、前記ロングヘアカッティング装置は、第１歯付きカッティング装置１０によって形成される。ショートヘアカッティング装置８は、互いに協働するショートヘアカッティング部１１および１２を有し、この場合、ホイル１１と、多数の湾曲したカッティングブレード１２によって形成される。ホイル１１は、カッティングブレード１２上方の適切な位置に保持される。ホイル１１は、この場合、２つの長手方向バー１４および１５と２本の横方向バー１６を有するホイルフレーム１３によって保持され、図１では、上記の２本の横方向バー１６のうちの１本の横方向バー１６だけが見えている。ホイルフレーム１３は、ここではこれ以上詳細に示さない方法で、シェービングヘッドハウジング４に固定される。カッティングブレード１２は、断面Ｕ字状のカッティングブレードサポート１７によって保持される。キャリア２０の２つの長手方向バー１８、１９は、カッティングブレードサポート１７に連結されている。キャリア２０はさらに、２本の横方向バー２１を有し、これらの２本の横方向バーのうちの１本の横方向バー２１だけが図１では見えている。２本の長手方向バー１８、１９から、２つのばね式フック１８E、１９Eが突出しており、これによって、キャリア２０とカッティングブレード・サポート１７がサポート２２に固定され、サポート２２は、より詳細には述べない方法で、シェービングヘッドハウジング４内に固定され、したがって、シェービングヘッド・ハウジング４内に保持される。２つのキャリアリブ２３は、キャリア２０の内部に設けられ、前記２つのキャリア・リブ２３のうちの１つのキャリア・リブ２３だけが、図１では見えている。曲げられた駆動レバー２５の自由端２４は、キャリア２０内、すなわち２つのキャリアリブ２３の間に突出しており、前記駆動レバーは、ベース部２の軸線２６の周りに回動できるように装着され、また、その回動可能な装着のため、ベース部２のスラストベアリング２９、３０内で回動可能に保持される２つのアクスルスタブ２７、２８を有する。アクスルスタブ２７、２８およびスラストベアリング２９、３０は、駆動レバー２５を回動可能な装着のためのベアリング手段３１を形成する。ベアリング手段３１の直接的な近傍に、駆動レバー２５を包囲するシール３２を設け、このシール３２は、弾性材料からなり、ベース部２のベアリングリング３３によって、シーリングリップ３４とともに固定される。シール３２はシェービング装置１の防水設計を確実にする。その結果、ベース部２に包含される装置の部分、すなわち、２個の電池、電動機および電気回路は、水分に対し十分に保護されている。
【００１５】
シェービング装置１に、第２歯付きカッティング装置３５を設ける。この場合、ショートヘアカッティング機構８が、第１歯付きカッティング装置１０と第２歯付きカッティング装置３５の間に配置されるように設計される。このシェービング装置１では、第１歯付きカッティング機構１０および第２歯付きカッティング機構３５を結合して、歯付きカッティング形状３６を形成する。この場合の歯付きカッティング形状３６は、シェービングヘッド３に静的に保持され、Ｕ字状、つまり谷状である第１形状部分３７と、シェービングヘッド３に対し、また、静的な方法で保持される第１形状部分３７に対し、前後に調整することができるように保持される第２形状部分３８とを有する。第２形状部分３８は、同様に断面がＵ字状、つまり谷状である。第２形状部分３８は、キャリア２１に固定連結され、したがって、キャリア２１を経由し、駆動レバー２５を用いて前後に駆動させることができる。
【００１６】
２つの自由端の各々の領域において、静的な方法で保持される第１形状部分３７は、列の長手方向に延びるカッティング歯列３９、４０を有する。同様に、いずれの場合においても、第２形状部分３８は、列の長手方向に延びるカッティング歯列４１、４２を有する。この結果、第１の歯付きカッティング装置１０は、列の長手方向に互いに隣接して位置する２列のカッティング歯列３９、４１を有し、これらの列は、互いに対し十分に支えるように保持される。さらに、第２の歯付きカッティング機構３５は、列の長手方向に互いに隣接して位置する２列のカッティング歯列４０、４２を有し、これらの列もまた、互いに対し十分に支えるように保持される。
【００１７】
シェービング装置１では、シェービングヘッド３は、ベース部２、すなわち、カッティング歯列３９、４０、４１および４２の長手方向と平行に延びる回動軸４３の周りに回動できるように装着される。回動軸４３は、この場合、回動ベアリング手段４４として具現化され、この回動ベアリング手段４４は２つのベアリングスタブ４５を有し、図１では、一のベアリング・スタブ４５だけが見ることができる。ベアリングスタブ４５は、この場合、シェービングヘッドハウジング４の横断壁７から内方に少し離れた位置にあり、ベース部２に連結した２つのベアリングタブ４６に設けられたベアリングホール内に突出し、図１では、前記２つのベアリングタブ４６のうちの１つのベアリングタブ４６だけが見えている。回動軸４３は、この場合、 図１から明確に分かるように、ショートヘアカッティング部分１１、１２およびカッティング歯列３９,４０、４１および４２に対して、矢印４７によって示されるシェービングヘッド３の深さ方向に、ベース部２に向かってオフセット配置される。この場合、シェービングヘッド３は、ベース部に対して約１０°まで回動させることができる。しかしながら、わずか５°まで、もしくは１５°までや２０°まで、または２０°超えまでですら、回動させる他の解決手段もまた想定される。
【００１８】
さらに、ばね手段をシェービング装置１に設けることが有利であり、このばね手段は、シェービングヘッド３に、ベース部２から離れかつシェービングヘッド３の静止位置に向かって深さ方向４７とは本質的には反対方向にばね負荷を与える。ばね手段は、ワイヤスプリングを有し、この場合、ワイヤスプリング４８によって形成される。ワイヤスプリング４８は、複数巻きの中間部４９と２つの脚部５０、５１を有する。ワイヤスプリング４８は、中間部４９が回動軸４３ないしベアリング・スタブ４５と同心となるように配置する。第１脚部５０は、その自由端でベース部２のハウジングの壁部に支えられる。第２脚部５１は、その自由端の前方に位置する領域で、シェービングヘッドハウジング４に設けられた止め具５２に支えられている。図１に示されているシェービングヘッド３の静止位置は、リミットアーム５３によって定められ、このリミットアーム５３は、シェービングヘッド３の停止位置を定めるため、ベース部２のハウジングの凹部５４において、凹部５４の底壁で支えられる。
【００１９】
ベース部２は、（図１に示されていない）シェービング装置の下端部と上端部４の間で延び、図１で一点鎖線の矢印５５によって示す長手方向軸線縦軸を有する。シェービングヘッドは、深さ方向４７と平行に延び、同様に図１で一点鎖線によって示す深さ軸線５６を有する。図１に示すシェービング装置１では、ベース部２の長手方向軸線５５およびシェービングヘッド３の深さ軸線５６は傾斜角βをなし、この場合、前記傾斜角は、約１３０°である。例えば１１０°、１２０°、１４０°、１５０°または１６０°のような他の傾斜角もまた可能であることは明らかである。
【００２０】
この場合、回動軸４３は、深さ軸５６に対して第１サイド方向９へオフセット配置する。
【実施例２】
【００２１】
図２および図３に示されるシェービング装置１では、ショートヘアカッティング装置は全く示されてなく、歯付きカッティング形状３６が模式的に示されているのみである。
【００２２】
図２および図３に図示するシェービング装置１では、シェービングヘッド３がベース部２に対して回動軸４３の周りに回動でき、この旋回軸４３は、図１に示されるシェービング装置１の場合よりも、更にシェービングヘッド３の深さ軸線５６に対して第１サイド方向９にオフセット配置する。図２および３に示されるシェービング装置１では、回動軸は歯付きカッティング構造３６のサイド方向９に隣接して位置しているのに対し、図１に示されるシェービング装置１では、回動軸４３は、歯付きカッティング形状３６の深さ方向４７下方に位置する。
【００２３】
図２および図３に図示するシェービング装置１には、ばね手段として、（図３に概略的に示される）トーションロッドばね５７が設けられており、このトーションロッドばね５７は、シェービングヘッド３の中間領域で支えられ、ここでは詳細に示さない方法で、その２個の端領域で、ベース部２上で支えられる。トーションロッドばね５７によって、シェービングヘッド３は、深さ方向４７とは逆方向でベース部２と離れる方向へばね負荷される。
【００２４】
上述の２つのシェービング装置１では、本発明に従う設計により、シェービングヘッド３を、剃られるべき皮膚の領域上に沿って、サイド方向９と本質的に平行に延びる動作方向に移動させるとき、すなわち、シェービングヘッド３を、剃られるべき皮膚の領域上で引っ張られるとき、および、シェービングヘッド３を、サイド方向９とは本質的には反対方向に剃られるべき皮膚の領域上に沿って移動させるとき、、すなわち、シェービングヘッド３を、剃られるべき皮膚の領域上で押されるときの双方の場合とも、ショートヘアカッティング装置８、引っ張り動作時の第１歯付きカッティング装置１０および押圧動作時の第２歯付きカッティング装置３５の良好な相互作用が確保される。というのも、どちらの場合にも、剃られるべき皮膚の領域に接触しているカッティング素子に作用する摩擦力の結果として、比較的高いトルクがシェービングヘッド３に作用するからである。これによって、シェービングヘッド３のベース部２に対する迅速で完全な回動をもたらす。従って、引っ張り動作の場合と押圧動作の場合の双方とも、ロングヘアが歯付きカッティング装置１０または３５によって十分に短くされ、いずれも場合も、歯付きカッティング機構１０または３５は、ショートヘアカッティング装置８前にカッティング作用を行い、その後、ショートヘアカッティング装置８によって、皮膚の滑らかなシェービングが行われるのを確実にする。
【００２５】
本発明は、上述した解決案に限定されない。シェービングヘッドがベース部に対して回動できるところの回動軸の配置に関して、および、回動可能な装着のための手段の設計に関しては、多くの解決策を適用することが可能である。一例として、上述した２通りの解決案と比較して、曲げられた駆動レバーに関して、回動軸はまた、駆動レバーの反対側に位置していてもよい。また、回動軸は、連続ベアリングシャフトによって形成してもよい。
【００２６】
さらに、本発明によるシェービング装置は、２つのショートヘアカッティング装置を有してもよく、この２つのショートヘアカッティング装置は、たとえば、いずれの場合にも、断面Ｕ字状の固定上刃と、同様に断面Ｕ字状で、上刃の内側に配置され、かつ前後に駆動させることができる下刃とを有することが可能である点について言及することができる。さらに、本発明によるシェービング装置はまた、単一のショートヘアカッティング装置を有してもよく、この装置は、少なくとも１個の環状のシェービングプレートを有するように設計し、すなわち、前記環状のシェービングプレートと相互作用して回転駆動することができる多数の下刃を有するように設計してもよい点について言及することができる。本発明に従うシェービング装置はまた、単一のロングヘアカッティング装置を有していてもよい。
【図面の簡単な説明】
【００２７】
【図１】本発明の実施形態の第１実施例に従うシェービング装置の部分の断面図である。
【図２】本発明の実施形態の第２実施例に従うシェービング装置の部分の上方から眺めたときの斜視図である。
【図３】図２のシェービング装置の幾分概略的な断面図である。
【図１】
2007518441.tif 000003
【図２】
2007518441.tif 000004
【図３】
2007518441.tif 000005
【国際調査報告】
2007518441.tif 000006
2007518441.tif 000007
2007518441.tif 000008